(57)【要約】【課題】便座等を便器本体に簡単に取り付け、取り外しができて、洗浄しやすく、また使用者に応じて取り替え変更が容易な便座、便蓋、座面体といった開閉体の便器本体への取付構造を提供することを目的とする。【解決手段】便器本体に、便座又は座面体等の開閉体を取り付ける取付構造であって、便器本体の後部左右２箇所で且つ同軸線上に開閉体との取付部を有し、一方の取付部は、便器本体と開閉体とのうちどちらかに設けた嵌挿軸を他方に設けた嵌挿溝に嵌入連結することで開閉体が閉じる方向に対して回転抵抗を有しており、他方の取付部は、便器本体と開閉体とのうちどちらかに設けた支持軸を他方に設けた支持孔に挿入して回転自在に連結してあることを特徴とする。【選択図】  図１
2007144008.tif 000002
【特許請求の範囲】
【請求項１】
便器本体に、便座又は座面体等の開閉体を取り付ける取付構造であって、
便器本体の後部左右２箇所で且つ同軸線上に開閉体との取付部を有し、
一方の取付部は、便器本体と開閉体とのうちどちらかに設けた嵌挿軸を他方に設けた嵌挿溝に嵌入連結することで開閉体が閉じる方向に対して回転抵抗を有しており、
他方の取付部は、便器本体と開閉体とのうちどちらかに設けた支持軸を他方に設けた支持孔に挿入して回転自在に連結してあることを特徴とする便座又は座面体等の開閉体の便器本体への取付構造。
【請求項２】
開閉体又は便器本体に設けた一方の支持軸を他方の支持孔に挿入し、開閉体又は便器本体に設けた一方の嵌挿軸を他方の嵌挿溝に嵌入して開閉体を便器本体に取り付けるものであることを特徴とする便座又は座面体等の開閉体の便器本体への取付構造。
【請求項３】
嵌挿軸は、回転抵抗を有する回転ダンパー装置に連結してあり、
回転ダンパー装置は、開閉体又は便器本体に設けたダンパー装置収納部に収納してあることを特徴とする請求項１又は２記載の便座又は座面体等の開閉体の便器本体への取付構造。
【請求項４】
回転ダンパー装置は、回り止め被係止部を有し、
ダンパー装置収納部は、回り止め被係止部に対応した係止部を有し、
回転ダンパー装置をダンパー装置収納部に装着し、ダンパー装置収納部の係止部に回転ダンパー装置の回り止め被係止部を係合して、回転ダンパー装置の本体を開閉体又は便器本体に固定してあることを特徴とする請求項１〜３いずれかに記載の便座又は座面体等の開閉体の便器本体への取付構造。
【請求項５】
回転ダンパー装置は、回り止め被係止部を有し、
ダンパー装置収納部は、回り止め被係止部に対応した係止部を有する回り止め係止片とこの回り止め係止片の抜止部材とを有し、
回転ダンパー装置をダンパー装置収納部に装着し、回り止め係止片の係止部と回転ダンパー装置の回り止め被係止部とを係合し、前記抜止部材を用いて回転ダンパー装置の本体及び回り止め係止片を開閉体又は便器本体に固定したことを特徴とする請求項１〜４いずれかに記載の便座又は座面体等の開閉体の便器本体への取付構造。
【請求項６】
回り止め係止片の抜止部材は、回転ダンバー装置本体のカバー部材を兼ねていることを特徴する請求項１〜５のいずれかに記載の便座又は座面体等の開閉体の便器本体への取付構造。
【発明の詳細な説明】
【技術分野】
【０００１】
本発明は、便座、便蓋、座面体、といった便器を覆うように便器本体に開閉可能に連結する開閉体の取付構造に関する。
【背景技術】
【０００２】
従来、洋式便器用の便座は、便座後方に左右水平方向の軸を形成して、この軸を便器などに設けた取付部の穴に枢着させることで便器等に取り付けていた。
便座は水はね等で汚れやすいことから定期的に拭き掃除等が必要となるが、便器などに連結したままでは作業性が悪かった。
また、例えば介護施設などで用いられるポータブルトイレの便座においては、使用者の体の状態に応じて、使用者毎に異なる便座に簡単に交換したい要望があった。
特開平５−２８５０６８号公報に便座を着脱自在にした技術を開示するが、リテーナブロックを必要とし、便座を枢着するリテーナブロックと便座との組み立てが煩雑であり、リテーナブロックを便器内に落としてしまう虞れもあった。
【０００３】
【特許文献１】特開平５−２８５０６８号公報
【発明の開示】
【発明が解決しようとする課題】
【０００４】
本発明は上記技術的課題に鑑みて、便座等を便器本体に簡単に取り付け、取り外しができて、洗浄しやすく、また使用者に応じて取り替え変更が容易な便座、便蓋、座面体といった開閉体の便器本体への取付構造を提供することを目的とする。
【課題を解決するための手段】
【０００５】
請求項１記載の発明は、便器本体に、便座又は座面体等の開閉体を取り付ける取付構造であって、便器本体の後部左右２箇所で且つ同軸線上に開閉体との取付部を有し、一方の取付部は、便器本体と開閉体とのうちどちらかに設けた嵌挿軸を他方に設けた嵌挿溝に嵌入連結することで開閉体が閉じる方向に対して回転抵抗を有しており、他方の取付部は、便器本体と開閉体とのうちどちらかに設けた支持軸を他方に設けた支持孔に挿入して回転自在に連結してあることを特徴とする。
請求項２記載の発明は、開閉体又は便器本体に設けた一方の支持軸を他方の支持孔に挿入し、開閉体又は便器本体に設けた一方の嵌挿軸を他方の嵌挿溝に嵌入して開閉体を便器本体に取り付けるものであることを特徴とする。
【０００６】
先ず開閉体又は便器本体のどちらかに設けた支持軸を他方の支持孔に挿入して、一方の嵌挿軸を他方の嵌挿溝に沿って挿し込むだけで開閉体を便器本体側に取り付けることができる。
逆に、便器本体からの開閉体の取り外しは、先ず、開閉体の嵌挿軸又は嵌挿溝側を持ち上げ、次いで、支持軸を支持孔から抜き出すだけで取り外しできる。
ここで、便器本体とは開閉体を取り付ける被取付側をいい、必ずしも便器本体に直接取り付ける必要はない。
【０００７】
請求項３記載の発明は、嵌挿軸は、回転抵抗を有する回転ダンパー装置に連結してあり、回転ダンパー装置は、開閉体又は便器本体に設けたダンパー装置収納部に収納してあることを特徴とする。
嵌挿軸を開閉体が閉じる方向に対して回転抵抗を有する回転ダンパー装置に連結したことにより、嵌挿軸を嵌挿溝に嵌め込むだけでダンパー機能を有するようになり、かつ、便座等の開閉体を開いた状態や閉じた状態でもそのままの状態で便器本体から開閉体を取り外し、取り付けができる。
【０００８】
請求項４記載の発明は、回転ダンパー装置は、回り止め被係止部を有し、ダンパー装置収納部は、回り止め被係止部に対応した係止部を有し、回転ダンパー装置をダンパー装置収納部に装着し、ダンパー装置収納部の係止部に回転ダンパー装置の回り止め被係止部を係合して、回転ダンパー装置の本体を開閉体又は便器本体に固定してあることを特徴とする。
これにより、ダンパー装置収納部の係止部に回転ダンパー装置の被係止部を係合させるだけで回転ダンパー装置の本体を開閉体又は便器本体に固定できる。
【０００９】
請求項５記載の発明は、回転ダンパー装置は、回り止め被係止部を有し、ダンパー装置収納部は、回り止め被係止部に対応した係止部を有する回り止め係止片とこの回り止め係止片の抜止部材とを有し、回転ダンパー装置をダンパー装置収納部に装着し、回り止め係止片の係止部と回転ダンパー装置の回り止め被係止部とを係合し、前記抜止部材を用いて回転ダンパー装置の本体及び回り止め係止片を開閉体又は便器本体に固定したことを特徴とする。
これにより、回転ダンパー装置を収納部に装着し、回り止め係止片を収納部に設けた差し込み部に差し込み、回り止め係止片の抜止部材この収納部に取り付けるだけで回転ダンパー装置を開閉体又は便器本体に固定することができる。
ここで抜止部材は回転ダンバー装置本体のカバー部材を兼ねることもできる。
【発明の効果】
【００１０】
本発明に係る便座又は座面体等の開閉体の便器本体への取付構造においては、開閉体又は便器本体に設けた一方の支持軸を他方の支持孔に挿入し、開閉体又は便器本体に設けた一方の嵌挿軸を他方の嵌挿溝に嵌入するだけの取り付け構造なので、開閉体を便器本体から簡単に取り外すことができるため、開閉体及び便器本体等の洗浄が容易になる。
簡単に開閉体を別のものに交換することもできるので、特に開閉体が便座の場合は、例えば介護施設等で体の状態が様々に異なる使用者に対して、その状態に応じて使いやすい便座へと簡単に交換出来る。
開閉体を閉じる動きを緩衝するための回転ダンパー装置は、嵌挿軸と一体化して設ける際に、ダンパー装置収納部に設けた係止部に回転ダンパー装置の被係止部を係合するだけの構造になっているので組み立てやすく、また回り止め係止片とこの回り止め係止片の抜止部材のみで回転ダンパー装置本体を開閉体に固定できるので、少ない部品で、簡単に組み立てができ、また分解も出来る。
回り止め係止片の抜止部材をカバー部材とすると回転ダンバー装置本体のカバー機能をかね備えることになる。
【発明を実施するための最良の形態】
【００１１】
本発明に係る便座又は座面体等の開閉体の便器本体への取付構造を、腰掛けるタイプのポータブルトイレ１の便座１０の取付構造に適用した実施例を図５に示す。
なお、腰掛けタイプのポータブルトイレにおいては、便座の便座面１１上に中折り式等の座面体６を設けて、通常は椅子として使用できるようになっている。
図５（ａ）は、座面体６を背もたれ側に開き、便座１０を閉じた（下げた）状態を示し、図５（ｂ）は便座１０を開いた（上げた）状態を示す。
本実施例においては、ポータブルトイレ１は、便器本体２に、開口部を有する便座台２０を設けてあり、便座１０の後部１４を便座台後部２３に軸着してある。
説明のために、便座１０に着座した時の着座者前側を前方とする。
便座台２０は便器本体２に下部を嵌めて取り付けてあり、図６（ａ）に示すように便座台２０は便器本体２から取り外すことが出来る。
図６（ｂ）に、便座台２０から便座１０を取り外した状態を示す。
便座台２０は、便座裏面１３側を支持する便座支持面２２を周状に設け、この便座支持面２２の外周から便座側面１２に沿って立上がるようにして枠部２１を設けてある。
【００１２】
便座後部１４の左右端を拡大して描いた平面図を図４に示す。
なお、分かりやすくするために便座の左右幅は縮小して表してある。
便座後部１４の左右の側面１２ａ、１２ｂには、左右水平方向にそれぞれ突出する嵌挿軸３０と支持軸５０とを設けてある。
嵌挿軸３０と支持軸５０は、それぞれの軸中心３０ａ、５０ａを同軸に配設してある。
この嵌挿軸３０は、便座１０の裏面に取り付けてある回転ダンパー装置７０の軸をそのまま側面１２ａから突出させたものとなっている。
【００１３】
ダンパー装置の取付構造の説明図を図８に示す。
回転ダンパー装置７０の軸に一体に形成してある嵌挿軸３０は、軸の外周３１を軸心対称に平行面で切り欠いた嵌挿部３１ａを設けてある。
なお、嵌挿軸の嵌挿部は便器本体側の嵌挿溝に嵌着するのが目的であり、軸の外周を平行面で切り欠いた例のみならず、Ｄ型に切り欠いてもよい。
また、回転ダンパー装置７０は嵌挿軸３０の反対側端部に、回り止め被係止部７１を断面略矩形状に突出させて設けてある。
回転ダンパー装置７０を取り付ける便座後部１４の裏面１３には、便座側面１２ａのダンパー支持孔１５ａから嵌挿軸３０を突出させ、回転ダンパー装置７０の本体７０ａを配設するためのダンパー装置収納部１５を設けてある。
このダンパー装置収納部１５は、回転ダンパー装置７０の本体７０ａを保持する載置凹部１５ｂと、回り止め係止片７２を差し込む差し込み部１５ｃを設けてある。
差し込み部１５ｃに回り止め係止片７２を差し込み、回転ダンパー装置７０の本体７０ａを、便座側面１２ａからダンパー支持孔１５ａを通して載置凹部１５ｂに組み込み、その際に、回り止め係止片７２の係止部７３に回り止め被係止部７１を係合する。
そして、回り止め係止片の抜止部材でもあるカバー部材７４を便座裏面１３側に向けて回転ダンパー装置７０の本体７０ａ及び回り止め係止片７２を押さえつつ、その軸支凹部７４ａで嵌挿軸３０を軸支するようにダンパー装置収納部１５にビス等の固定部材７５で固定する。
この場合に、カバー部材７４は回転ダンパー装置本体７０ａの回り止め及び抜け止めになる。
嵌挿軸３０は、このように少ない部品で回転抵抗を付加するダンパー機能を構成してあり、嵌挿軸３０を一体的に設けたダンパー回転装置７０は、上記のように非常に簡単に取り付けることができる。
この回転ダンパー装置７０の取付構造は、回転ダンパー装置を回り止め及び抜け止めできるものであれば、その取付構造は限定されず、又、開閉体が閉じる方向に対して嵌挿軸３０に回転抵抗を付加するものであれば、回転タイプのダンパーに限定されるものでは無い。
【００１４】
便座台２０の便座台後部２３の拡大平面図を図４（ｂ）に示す。
この便座台２０に便座１０を連結した拡大平面図を図４（ｃ）に示す。
図４（ｂ）に示すように便座台２０には、枠部２１が略垂直に立ち上がった垂直壁２１ａの回動軸３部分を穿って貫通した支持孔６１を設けてあり、その支持孔６１内方は枠部２１が中空となった中空部６２となっている。
また、支持孔６１の径の大きさは支持軸５０の外周との間に所定の遊び用隙間を形成し、支持軸５０が所定角度傾斜出来るように設定してある。
図４（ｂ）のＡ視図を図７（ａ）に示すように上方から支持孔６１に至る案内溝６３を枠部２１を凹ませて設けて、支持軸５０の抜き差しを案内しやすくしている。
【００１５】
図４（ｂ）のＢ視図を図７（ｂ）に示すように、枠部２１に上方開口部４１ａと支持孔側開口部４１ｂとを有する嵌挿溝４１を形成して、その下端部は凹状の支持凹面４２となっている。
図４（ａ）に示すように、便座１０の支持軸５０を支持孔６１に挿入し、この支持孔６１を基点としながら便座１０の嵌挿軸３０を嵌挿溝に嵌入する。
このとき便座１０は、嵌挿軸３０の嵌挿部３１ａの平面部が嵌挿溝４１方向に平行になるようにして嵌入する。
嵌挿溝４１は、支持凹面４２にて嵌挿軸３０の軸中心３０ａを回動軸３と一致させ、且つダンパー機能が生じるように両側壁４１ｃの間隔が嵌挿軸３０の嵌挿部３１ａの幅におおむね一致するように形成してある。
嵌挿溝４１は、嵌挿軸３０を支持凹面４２に軸中心３０ａを回動軸３に合わせて嵌着して、支持凹面４２部分の溝側壁４１ｃが嵌挿軸３０を通常使用時にずれないように保持できれば、溝形状は非直線状であっても良く、又、嵌挿軸を枠部２１から溝形状を形成するように対向して突出させた係止用のバネ部材等の間に嵌め入れるもの等でも良い。
【００１６】
図４（ｃ）に示すように便座１０と便座台２０とを、同軸の回動軸３を形成する嵌挿軸３０と支持軸５０で連結することで、便座１０は便座台２０に対して回動軸３を軸中心として開閉する。
この開閉動作は、回転ダンパー装置７０を有する嵌挿軸を介して行うため便座を下ろすときに適度に抵抗が加えられて制動され、衝撃や振動、騒音を押さえている。
嵌挿溝４１は、便座１０の通常使用時の開閉動作等では力を受けない上下方向に形成してあり、また、支持軸５０は便座１０の開閉方向の全周にわたり支持孔６１の内周支持面で保持されるため、便座１０は通常の開閉動作や、着座動作で外れたり、ずれることは無い。
【００１７】
便座１０を上げた状態で、回動軸３を通るように便座台２０を切断して前側から見た説明図を図１（ａ）に示し、その回動軸部付近の拡大図を図１（ｂ）に示す。
嵌挿軸３０は、便座台側の嵌挿溝４１下端の支持凹面４２に嵌め、嵌挿軸３０の軸中心と回動軸３とを一致させ、嵌挿溝側壁４１ａで嵌挿軸３０の嵌挿部３１ａを挟んで回り止め支持している。
支持軸５０は、便座台側の支持孔６１に挿し込みその先端は支持孔６１内方に形成してある中空部６２に位置している。
【００１８】
便座の着脱方法について説明する。
便座の取り外しは、図１に示す連結状態から、便座１０を手で持ち、図２に示すように嵌挿軸側を引き上げて、支持孔６１を基点とする旋回動作で嵌挿軸３０を嵌挿溝４１に沿って上方に向けて移動させ、嵌挿溝４１から外れるまで引き出す。
この時支持軸５０は、先端が中空部６２内で移動して傾斜することになる。
次いで、便座１０を持ったまま、支持軸５０の軸方向に引くように便座１０を動かして、支持軸５０を支持孔６１から引き出して、図３に示すように便座１０の取り外しを完了する。
便座の便座台への取り付けは、図３の分離状態から支持軸５０の先端を支持孔６１へ案内溝６３にあてがう等して挿し込む。
次いで、図２の状態で嵌挿軸３０を嵌挿溝４１に挿し込んで、図１のように嵌挿溝４１下端の支持凹面４２へと嵌めて完了する。
なお、図２、３に示した便座の取り外し操作は、便座１０を前方側が上になるまで開いた（上げた）状態で説明したが、便座を下げた状態でも可能であり開閉の位置に制限がない。
【００１９】
この取り付け構造は、本実施例に示したポータブルトイレ１における便座１０に限らずポータブルトイレを椅子として利用するための開閉式の着座用座面体６や、開閉式の便蓋の取り付け構造に用いたり、あるいは、洋式便器の便座や便蓋の取り付け構造に用いても良い。
また、説明に用いた便座は角形であるが、Ｏ型やＵ型であっても良い。
そして、便座台は便器本体部上から取り外し出来るものを示したが、固定式の便座台でも良い。
【００２０】
本発明は便器本体の後部左右２箇所で且つ同軸線上に開閉体との取付部を有し、一方の取付部は、便器本体と開閉体とのどちらかに設けた一方の嵌挿軸と他方に設けた嵌挿溝にて挿入連結することで開閉体が閉じる方向に対して回転抵抗を有しており、他方の取付部は、便器本体と開閉体とのどちらかに設けた一方の支持軸と他方に設けた支持孔にて回転自在に連結した点に特徴がある。
従って、上記実施例に示した他に図９〜図１１に示した開閉体の取付形態であってもよい。
図９に示す例は、開閉体１０ａ側の左右一方に設けた支持孔１６１に便器本体の支持軸１５０を挿入し、左右他方に設けた回転ダンバー装置１７０の嵌挿軸１３０を便器本体２０ａの嵌挿溝１４１に挿入する例である。
【００２１】
図１０に示す例は、回転ダンパー装置の嵌挿軸２３０を便器本体２０ｂ側に設けると共に支持孔２６１を設けた例で、この場合には開閉体１０ｂ側に嵌挿溝２４１と支持軸２５０を形成することになる。
また、回転ダンパー装置７０の固定方法は、回り止め係止片７２とカバー部材７４を一体的に形成し、回り止め係止部７３を回転ダンパー装置の回り止め被係止部７１に係合した例である。
【００２２】
図１１に示した例は、便器本体２０ｃ側に嵌挿軸３３０と支持軸３５０を設けた例で開閉体１０ｃ側に嵌挿溝３４１と支持孔３６１を設けてある。
また、回転ダンパー装置の本体後部に設けた回り止め被係止部７１に係止部７３を有する回り止め係止片７２を直接、回転ダンパー装置収納部に固定した例である。
【図面の簡単な説明】
【００２３】
【図１】本発明をポータブルトイレの便座の便座台への取付構造に適用した実施例の説明図を示す。
【図２】便座を便座台に連結している軸の一方を外した状態の説明図を示す。
【図３】両方の軸を外し、便座を便座台から取り外した状態の説明図を示す。
【図４】便座の取付部の要部図を示す。
【図５】ポータブルトイレの外観説明図を示す。
【図６】便座と便座台の外観説明図を示す。
【図７】（ａ）は支持軸受け部のＡ視図を示し、（ｂ）は嵌挿軸受け部のＢ視図を示す。
【図８】ダンパーの取付構造の説明図を示す。
【図９】開閉体側の左右一方に回転ダンパー装置を取り付け、他方に支持孔を形成した例を示す。
【図１０】便器本体側に回転ダンパー装置を取り付けた例を示す。
【図１１】便器本体側に回転ダンパー装置を取り付け、左右同軸上に支持軸を設けた例を示す。
【符号の説明】
【００２４】
１      ポータブルトイレ
２      便器本体（汚水受け）
３      回動軸
６      座面体
１０    便座（開閉体）
１１    便座面
１２、１２ａ、１２ｂ  便座側面
１３    便座裏面
１４    便座後部  
１５    ダンパー装置収納部
１５ａ  ダンパー支持孔
１５ｂ  ダンパー載置凹部
１５ｃ  回り止め係止片の差し込み部
２０    便座台  
２１    便座台枠部
２１ａ  枠部垂直壁
２２    便座支持面
２３    便座台後部
３０    嵌挿軸  
３０ａ  嵌挿軸の軸中心
３１    嵌挿軸の外周
３１ａ  嵌挿部
４１    嵌挿溝
４１ａ  上方開口部
４１ｂ  支持孔側開口部
４１ｃ  嵌挿溝側壁
４２    支持凹面
５０    支持軸
５０ａ  支持軸の軸中心  
６１    支持孔
６２    中空部
６３    案内溝
７０    回転ダンパー装置
７０ａ  回転ダンパー装置の本体
７１    回り止め被係止部
７２    回り止め係止片
７３    回り止め係止片に設けた係止部
７４    カバー部材（抜止部材）
７４ａ  軸支凹部
【図１】
2007144008.tif 000003
【図２】
2007144008.tif 000004
【図３】
2007144008.tif 000005
【図４】
2007144008.tif 000006
【図５】
2007144008.tif 000007
【図６】
2007144008.tif 000008
【図７】
2007144008.tif 000009
【図８】
2007144008.tif 000010
【図９】
2007144008.tif 000011
【図１０】
2007144008.tif 000012
【図１１】
2007144008.tif 000013